(57)【要約】【課題】側板への外圧によりキャリアテープが変形して電子部品が破損するのを防止できると共に、リール内部に塵埃が侵入して電子部品に付着するのを防止できるテーピング用リールを提供する。【解決手段】複数の電子部品などを並べた状態で保持できるキャリアテープを巻き付けるためのコア３と、コア３を回転自在に支持すると共にキャリアテープが通り抜けるための開口部を除いてコア３に巻き付けられたキャリアテープ全体を隙間無く覆うカバー（側板１及び側板２）とを備えた。【選択図】図１
2007106537.tif 000002
【特許請求の範囲】
【請求項１】
複数の電子部品を保持するキャリアテープを巻き付けるためのコアと、
前記コアを回転自在に支持すると共に前記キャリアテープが通り抜けるための開口部を除いて前記コアに巻き付けられた前記キャリアテープ全体を隙間無く覆うカバーとを備えたことを特徴とするテーピング用リール。
【請求項２】
前記カバーは、前記コアを挟んで対向するように位置する２つの側板と、両側板の中心部に設けられて前記コアを回転自在に支持するリブとで構成されていることを特徴とする請求項１記載のテーピング用リール。
【請求項３】
前記コアと前記カバーの素材は導電性を有する樹脂であることを特徴とする請求項１又は２に記載のテーピング用リール。
【請求項４】
前記キャリアテープの巻き付け又は引き出しのときに前記キャリアテープに接触して転動する送りローラを前記開口部の近傍に設けたことを特徴とする請求項１から３のいずれか一項に記載のテーピング用リール。
【請求項５】
前記送りローラの素材は導電性を有する樹脂であることを特徴とする請求項４記載のテーピング用リール。
【請求項６】
前記キャリアテープの終端部を支持するエンドテープを前記コアに固定するためのエンドテープストッパを前記コアに備えたことを特徴とする請求項１から５のいずれか一項に記載のテーピング用リール。
【請求項７】
前記エンドテープストッパの素材は導電性を有する樹脂又はゴムであることを特徴とする請求項６記載のテーピング用リール。
【発明の詳細な説明】
【技術分野】
【０００１】
本発明は、キャリアテープが変形して電子部品が破損するのを防止すると共に、リール内部に塵埃が侵入して電子部品に付着するのを防止するテーピング用リールに関する。
【背景技術】
【０００２】
電子部品の搬送用の包装材としてキャリアテープを用いたものが知られている（例えば、特許文献１及び２参照。）。これは、プラスチック製のキャリアテープ上に所定の間隔で電子部品を並べ置き、このテープを２つの側板と、これらに挟まれた円柱状のコアとで一体的にプラスチックで構成したリールに巻き付けることで、電子部品の搬送や保管、あるいは、電子部品を基板に実装する組み立て工程における電子部品の自動供給を効率的に行えるようにしたものである。リールの構造としては、巻き付けたキャリアテープがずれないように、側板がコアの径より大きいサイズに設定され、側板にキャリアテープのガイドとしての機能が持たされている。側板は円形の平板である場合が多い。
【特許文献１】特開平８−２０８１２４号公報
【特許文献２】特開平１１−１０００６３号公報
【発明の開示】
【発明が解決しようとする課題】
【０００３】
しかしながら、従来例で示したリールは、側板の中央部をコアで支持しているだけなので、側板の外周側（円板の場合は径方向外側の部分）の強度が弱く、側板に外圧が加わった場合、側板の変形に伴ってキャリアテープが変形し、最悪の場合にはテープに収納された電子部品が破損する恐れが生じる。また、側板の外周側が完全に開放されている構造のため、電子部品の実装に悪影響を及ぼすゴミやホコリが侵入してキャリアテープのポケット孔（テープ送り用に等間隔に穿設された孔）を通るなどして電子部品の端子などに付着することで、電子部品実装後の基板の品質に悪影響が生じるという問題点が懸念されている。
そこで、本発明は、上述した実情を考慮してなされたもので、側板への外圧によりキャリアテープが変形して電子部品が破損するのを防止できると共に、リール内部に塵埃が侵入して電子部品に付着するのを防止できるテーピング用リールを提供することを目的とする。
【課題を解決するための手段】
【０００４】
上記の課題を解決するために、請求項１に記載の発明は、複数の電子部品を保持するキャリアテープを巻き付けるためのコアと、前記コアを回転自在に支持すると共に前記キャリアテープが通り抜けるための開口部を除いて前記コアに巻き付けられた前記キャリアテープ全体を隙間無く覆うカバーとを備えたことを特徴とする。
請求項２の発明は、請求項１において、前記カバーは、前記コアを挟んで対向するように位置する２つの側板と、両側板の中心部に設けられて前記コアを回転自在に支持するリブとで構成されていることを特徴とする。
請求項３に記載の発明では、前記コアと前記カバーの素材は導電性を有する樹脂である請求項１又は２に記載のテーピング用リールを主要な特徴とする。
請求項４に記載の発明では、前記キャリアテープの巻き付け又は引き出しのときに前記キャリアテープに接触して転動する送りローラを前記開口部の近傍に設けた請求項１から３のいずれか一項に記載のテーピング用リールを主要な特徴とする。
請求項５に記載の発明では、前記送りローラの素材は導電性を有する樹脂である請求項４記載のテーピング用リールを主要な特徴とする。
請求項６に記載の発明では、エンドテープを前記コアに固定するためのエンドテープストッパを前記コアに備えた請求項１から５のいずれか一項に記載のテーピング用リールを主要な特徴とする。
請求項７に記載の発明では、前記エンドテープストッパの素材は導電性を有する樹脂又はゴムである請求項６記載のテーピング用リールを主要な特徴とする。
【発明の効果】
【０００５】
本発明によれば、キャリアテープが通り抜けるための開口部を除いてコアに巻き付けられたキャリアテープ全体を隙間無くカバーで覆う構造を採用しているので、外圧が加わってもカバーが変形するのを抑え、キャリアテープが変形して電子部品が破損するのを防止できると共に、カバー内部に塵埃が侵入するのを防止することができる。
【発明を実施するための最良の形態】
【０００６】
以下、図面を参照して、本発明を実施するための最良の形態を詳細に説明する。図１（ａ）及び（ｂ）は本発明を実施するための最良の形態であるテーピング用リールを両面側から見た場合の斜視図である。このテーピング用リールは円形の側板１と、円板の外周部に環状のリブ２ｄを一体形成した側板２と、小径且つ略円柱状のコア３とを有し、側板１と側板２とで構成される筐体（カバー）内にコア３を同心円状に配設した構造となっている。これらの部材はこの例ではＰＳ、ＰＥＴ等の樹脂材料を高温に加熱して、射出、真空、押し型整形にて製造したものである。また、樹脂にはカーボン素材を練り込み、導電性を高めることで電子部品に対して静電気による悪影響が生じないようにしている。
図１のように、コア３の両側面には円形の凹部３ａが形成されている。一方、側板１、側板２の中央付近には円形のリブ１ａ、リブ２ａが夫々突出形成されている。リブ１ａ、リブ２ａの径はコアの凹部３ａの径よりも若干小さく設定されており、凹部３ａにリブ１ａ、リブ２ａを嵌めるようにして側板２と側板１を合わせることで、コア３が筐体内で回転自在に保持されるようになっている。また、側板１、側板２の外周縁に沿った面上には夫々ピン状の突起部１ｂ、２ｂが設けられており、これらに中空の送りローラ４の一端と他端を嵌め込むことで送りローラ４が回転自在に保持されている。送りローラ４の素材は静電気の影響を考慮して導電性を高めた樹脂素材を用いている。側板１と側板２のリブ２ｄとの間に隙間は無く、側板２は４本のねじ５によって側板１に固定されている。また、側板１、側板２にはその中央に円形の孔１Ａ、２Ａが穿設されているが、これはコア３の回転を制御するための部材が通るためのものである。
コア３の外周面には樹脂製のキャリアテープ６が巻き付けられる（図２参照）。キャリアテープ６は電子部品７の搬送用の包装材であり、図２のように、複数の電子部品７を長手方向に並べて保持できるように断面を所定の形状（凹所６ａを有した形状）に形成したものである。これを用いることにより、電子部品の搬送や保管、あるいは、電子部品を基板に実装する組み立て工程における電子部品の自動供給を効率的に行うことができる。キャリアテープ６は送りローラ４に掛けられており、キャリアテープ６の動きに伴って送りローラ４が回転することでキャリアテープ６の巻き取りや引き出しが滑らかに行えるようになっている。また、図３に示すように、リブ２ｄの送りローラ４の近傍には矩形の開口部２ｃが形成されており、キャリアテープ６の通り抜けが可能になっている。キャリアテープの終端部はエンドテープによりコア３の外周面に固定されている。
【０００７】
図４は、エンドテープの着脱ができるようにコア３を構成した場合の斜視図である。同図に示すように、コア３の外周部にエンドテープストッパ８を嵌め込むための嵌め込み部３ｂが形成されている。エンドテープストッパ８の素材には静電気の影響を考慮して導電性ゴム素材あるいは導電性樹脂を用いている。エンドテープはＰＥＴやＰＶＣシートを適当なサイズにカットして用いている。エンドテープの端部をエンドテープストッパ８と共に嵌め込み部３ｂに押し入れることで、図５のように、エンドテープをコア３に固定することができる。なお、図４のような嵌め込み部３ｂを構成した場合には、コア３の中心から嵌め込み部３ｂまでの距離を凹部３ａの内径とし、この大きさに応じてリブ１ａ、リブ２ａの外径を設定する必要がある。これに関する他の構成例として、コア３の中心から嵌め込み部３ｂまでの距離を内径とする円環状の新たなリブを凹部３ａ内に形成してもよい。
以上説明したように、本発明によるテーピング用リールでは、キャリアテープ６が通り抜けるための開口部２ｃを除いてコア３に巻き付けられたキャリアテープ６全体を隙間無くカバー（側板１及び側板２）で覆う構造を採用しているので、外圧が加わってもカバーが変形するのを抑え、キャリアテープ６が変形して電子部品７が破損するのを防止できると共に、カバー内部に塵埃が侵入するのを防止することができる。
【図面の簡単な説明】
【０００８】
【図１】本発明を実施するための最良の形態であるテーピング用リールを両面から見た場合の斜視図である。
【図２】キャリアテープ６とテーピング用リールの断面図である。
【図３】開口部２ｃ周辺の斜視図である。
【図４】エンドテープストッパ８を備えたコア３の斜視図である。
【図５】エンドテープを固定したときのコア３の平面図である。
【符号の説明】
【０００９】
１、２  側板
１ａ、２ａ、２ｄ  リブ
１ｂ、２ｂ  突起部
２ｃ  開口部
３  コア
３ａ  凹部
３ｂ  嵌め込み部
４  送りローラ
５  ねじ
６  キャリアテープ
７  電子部品
８  エンドテープストッパ
【図１】
2007106537.tif 000003
【図２】
2007106537.tif 000004
【図３】
2007106537.tif 000005
【図４】
2007106537.tif 000006
【図５】
2007106537.tif 000007